(57)【特許請求の範囲】
【請求項１】
手持ち式シャワーにおいて、
−  握り（２）に配置されたシャワーヘッド（１）を有し、
−−  該シャワーヘッドが回転軸線（３）を中心として回転可能に保持されており、
−−  しかも、シャワーヘッド（１）に設けられた放水口（１２０）が、該回転軸線（３）に対し傾斜するように構成されており、
−  かつまた、握り（２）も、回転軸線（３）に対し３０°から９０°の角度（３０）で傾斜配置されている形式のものにおいて、
−  供給されるシャワー水が、前記シャワーヘッドのどの回転位置でも、通路を経てシャワーヘッド（１）内の水室（１４，１５）と、該水室に接続されている放水口（１１，１２０）とに到達でき、水の供給が中断しないことを特徴とする、手持ち式シャワー。
【請求項２】
前記シャワーヘッド（１）が前記回転軸線（３）を中心として３６０°回転可能であることを特徴とする、請求項１に記載された手持ち式シャワー。
【請求項３】
前記回転軸線（３）を中心として前記シャワーヘッドを回転させる際、無段階的に中間位置を選択可能であることを特徴とする、請求項１または２に記載された手持ち式シャワー。
【請求項４】
前記回転軸線（３）が、前記握り（２）の軸線（２０）に対して４５°の角度（３０）で傾斜していることを特徴とする、請求項１から３のいずれか一項に記載された手持ち式シャワー。
【請求項５】
前記回転軸線（３）が、シャワー噴流発生器（Ｂｒａｕｓｅｓｔｒａｈｌｂｉｌｄｎｅｒｓ）の軸線（１０）に対し３５°から５０°の角度（３１）で傾斜していることを特徴とする、請求項１から請求項４までのいずれか一項に記載された手持ち式シャワー。
【請求項６】
上流に位置する握り端部区域の中心軸線（２１）が、前記シャワーヘッド（１）の円形接続面（２２）とほぼ平行に延在するように、前記握り（２）が湾曲して構成されている、請求項１から請求項５までのいずれか１項に記載された手持ち式シャワー。
【請求項７】
前記シャワーヘッド（１）が、部分球形に構成され、かつシャワーヘッド底部（１２）を受容するための第１円形面と、前記握り（２）を接続するための、前記第１円形面に対して傾斜して設けられた第２円形面とを有することを特徴とする、請求項１から請求項６までのいずれか１項に記載された手持ち式シャワー。
【請求項８】
前記シャワーヘッド（１）が、少なくとも２つの選択的に起動可能なシャワー噴流発生システムを有することを特徴とする、請求項１から請求項７までのいずれか１項に記載された手持ち式シャワー。
【請求項９】
前記シャワーヘッド底部（１２）に、標準シャワー噴流放出用の多数の噴流ノズル（１２０）が備えられ、他方、幕状噴流を発生させるための放水スリット（１１）が、前記シャワーヘッド底部（１２）から間隔をおいて側壁内に設けられていることを特徴とする、請求項８に記載された手持ち式シャワー。
【請求項１０】
前記シャワーヘッド（１）の平らな端面が、回転軸線（３）に対して直角に構成された接続ハウジング接触面のところに保持されており、しかも、シャワーホース（４）と接続されている環状通路が、回転軸線（３）と同軸線的に形成されており、該環状通路が、前記シャワーヘッド（１）の端面の開口と連通していることにより、シャワー水が前記シャワーヘッド（１）のあらゆる回転位置で水室内へ流入し、シャワー噴流形式で放出されることを特徴とする、請求項１から請求項９までのいずれか１項に記載された手持ち式シャワー。
【請求項１１】
前記握り（２）内に切り替え弁（２４）が備えられ、シャワーホース（４）から流入する温冷水を、切り替え弁（２４）により選択的に、同心的な第１環状通路（２３０）、または直径のより大きい同心的な第２環状通路（２３１）へ供給可能であり、しかも、前記シャワーヘッド（１）が、前記シャワーヘッド底部（１２）に形成された標準シャワー噴水口（１２０）を有する第１水室（１４）と、幕状シャワー用噴水スリット（１１）を有する第２水室（１５）とを備えており、更に、第１水室（１４）が第１環状通路（２３０）と、また第２水室（１５）が第２環状通路（２３１）と、それぞれ開口（１４０，１５０）を介して接続されていることを特徴とする、請求項１から請求項１０までのいずれか１項に記載された手持ち式シャワー。
【請求項１２】
接続ハウジング（２３）が備えられ、該接続ハウジングに少なくとも１つの前記シャワーヘッド（１）とシャワーホース（４）とが接続されており、しかも、前記握り（２）が、スリーブとして構成され、接続ハウジング（２３）上にはめ込み状態で固定可能であることを特徴とする、請求項１から請求項１１までのいずれか１項に記載された手持ち式シャワー。
【発明の詳細な説明】
【０００１】
【発明の属する技術分野】
本発明は、請求項１の前提部に記載された形式の手持ち式シャワー（Ｈａｎｄｂｒａｕｓｅ）に関するものである。
【従来の技術】
手持ち式シャワーは、通例、特定目的で体を洗い流すのに使用される。その場合、通常、手持ち式シャワーは、手で体に沿って移動させられるか、または所望の位置に保持される。
また、手持ち式シャワーは、公知の壁バー（Ｗａｎｄｓｔａｎｇｅｎ）および高さ調節可能な差し込み器具を介して、シャワーを浴びる人に対して特定の位置に固定することもでき、そうすることで、例えば頭部を洗う機能を満たすことができる。その場合には、シャワーを浴びる人の両手は、空いたままにしておくことができる。
【０００２】
手持ち式シャワーのこれら２つの扱い方は、しかし、使いやすさの点で限界がある。手で扱う場合、一方の手は全く使用できない。また、身体のあらゆる部分に温冷水が届くようにすることにも、しばしば限界がある。比較的長い時間、片手で身体の特定部分に−例えば腰椎区域の筋肉組織を柔軟にするために−湯を注ぎかけるのでは疲れてしまい、シャワーを浴びて緊張をほぐすことが殆どできなくなる。壁バーに手持ち式シャワーを掛架しても、この欠点は除かれない。なぜなら、シャワー噴流の放出方向の変更は制限されているからである。このため、水平の放出方向に調節することも、たいていは不可能である。公知の手持ち式シャワーの場合、握りと、シャワー噴流を発生させるシャワーヘッド底部（Ｂｒａｕｓｅｂｏｄｅｎ）との角度位置では、手や腕関節のすべての運動可能性を利用し尽くしても、楽にシャワーを浴びせることのできる身体部分は限られている。この手持ち式シャワーを壁バーに掛架した場合、その角度位置で発生可能な噴流は、通例、斜め下方への噴流だけである。しかし、いくつかの身体部分の特定目標に楽にシャワーを浴びせるには、水平方向のシャワー噴流が好ましいだろう。ドイツ特許出願公告第２２  ４６  ５２０号（ｄｅｕｔｓｃｈｅｎ  Ａｕｓｌｅｇｅｓｃｈｒｉｆｔ  ２２  ４６  ５２０）により、すでに公知の衛生設備用のスプレーヘッド器具の場合、回転可能なスプレーヘッドが有孔スプレーノズルを備え、このスプレーノズルが、回転軸線に対して約４５°の角度で配置されている。しかし、その場合、スプレーヘッドの回転位置は２つだけである。
【０００３】
【発明が解決しようとする課題】
本発明の根底をなす課題は、シャワーヘッドによりシャワー噴出方向を出来るだけ簡単に変更でき、したがって壁バーに掛架しても、任意に頭部用シャワー、手持ち式シャワー、横向きシャワーとしても使用できる手持ち式シャワーをもたらすことである。更に、別の課題は、頭部用シャワー、手持ち式シャワー、横向きシャワーの各機能を有する公知の高価なシャワーシステムとは異なり、より簡単かつ安価に製造可能な手持ち式シャワーを提供することである。
【０００４】
【課題を解決するための手段】
前記課題は、本発明により、請求項１に記載の特徴を有する手段により解決された。
本発明のそのほかの構成は、請求項２から請求項１０までの各項に記載されている。
【０００５】
提案した措置により、手持ち式シャワーは著しく使用し易くなった。握りに対して傾斜位置にある回転軸線上にシャワーヘッドが保持されることで、手持ち式シャワーを壁バーに掛架した場合に、シャワー噴流を任意の身体部分に向けることができる。また、その身体部分に任意に長い時間にわたりシャワー噴流を浴びせることができ、しかも両手を空けておくことができる。
手持ち式シャワーを手で扱うことも、本発明により著しく容易になった。それというのも、従来の手持ち式シャワーの場合、使用者は、シャワーヘッドを回転させることで、しばしば手の関節を曲げる必要が生じたが、この曲げが極めて僅かしか可能ではなかったからである。更に、シャワーヘッドを初期位置から１８０°回転させることにより、シャワー設備および／または浴槽の洗淨に最適な位置にシャワーヘッドを調節することができる。
【０００６】
本発明のこのほかの構成によれば、シャワーヘッドは、複数のシャワー噴流発生システムを備えることができる。好ましくは、その場合、シャワーヘッド内には、異なるシャワー噴射ノズルを有する２つの水室を設けておき、これらの水室には、切り替え弁を介して選択的にシャワー水を供給することができる。切り替え弁は、握りの区域に備えられ、握りに設けたタッチ・キー（Ｍｅｍｂｒａｎｔａｓｔｅ）によって操作可能である。
あるいはまた、この種のタッチ・キーによって、シャワー噴流発生システムを有するシャワーヘッドへ、シャワー水を流入する流量調整弁を操作することも可能である。
【０００７】
本発明の手持ち式シャワーには、好ましくは接続ハウジングが設けられており、この接続ハウジングの一端には、シャワー水供給用のシャワーホースが連結され、他端には、回転軸線上にシャワーヘッドが結合されている。接続ハウジング上には、単一部分または複数部分からなるスリーブまたは握り用外殻である握りが密封はめ込みされ、はめ込み位置でロックされている。
【０００８】
【発明の実施の形態】
以下で、本発明の実施例を図面につき詳細に説明する。
簡単化するために、図示の実施例では、等しい部材または対応部材には、それぞれ等しい符号が付されている。図１および図２に示した手持ち式シャワーの場合、シャワーヘッド１が握り２と回転可能に結合している。握り２の、シャワーヘッド１に対向する端部区域には、シャワー水を導入するためのシャワーホース（図示せず）を挿入可能である。
【０００９】
シャワーヘッド１は、回転軸線３上で３６０°回転可能に握り２と結合されている。しかも、供給されるシャワー水は、あらゆる回転位置で通路をへてシャワーヘッド１内へ流入可能である。回転軸線３は、この場合、握り２の軸線２０に対し約４５°の角度３０だけ傾斜して位置している。握り２は、この場合、湾曲形状に構成されており、しかも回転軸線３の区域には、回転軸線に対し直角に位置する円形の接続面２２が形成されている。接続面２２は、この場合、中心軸線２１とほぼ平行に、握り２の上流に位置する握り端部区域に設けられている。
シャワーヘッド１は、部分球形に構成され、接続面２２に対し、対応する平らな第１端面を接合させている。シャワーヘッド１には、接続面２２とは反対の側に、円形で第１端面に対して傾斜したシャワーヘッド底部１２用の第２の端面が形成されている。シャワーヘッド底部１２には噴射水ノズルが設けられ、これらのノズルが、軸線１０とほぼ平行に底部１２から外方へ延びている。軸線１０は、この場合、回転軸線３に対しほぼ４５°の角度３１で傾斜している。
シャワーヘッド１は、したがって、ヘッドの回転位置に応じて−中心軸線２１に関し−後方へも（図１）、前方へも（図２）向けることができる。シャワーヘッド１は、回転軸線３上で３６０°回転可能であり、しかも、無段階的に中間位置を選択可能である。シャワーヘッド１は、この場合、回転軸線３と水供給部との区域にＯリングを備えており、該Ｏリングは、一方では、水の供給を確実にし、他方では、シャワーヘッド１に一定の回転しにくさを生じさせ、それにより、シャワーヘッド１が勝手に回転することなく、しかも望むままに手で回転できるようになっている。
【００１０】
図３から図７に示した実施例は、シャワーヘッド１に２種類の噴流発生システムが備えられている点で、既述の実施例と異なっている。シャワーヘッド底部１２の近くには、シャワーヘッド１の球形外套面（Ｍａｎｔｅｌｆｌａｅｃｈｅ）に幕状噴流発生システム（Ｓｃｈｗａｌｌｂｒａｕｓｅｓｔｒａｈｌｅｒｚｅｕｇｕｎｇｓｓｙｓｔｅｍｓ）の噴出スリット１１が設けられている。
図４には、動作時の幕状噴流発生システムが示され、シャワーホース４が接続ハウジング２３に接続されている。接続ハウジング２３内には、切り替え弁２４が設けられ、流入するシャワー水（ｚｕｆｌｉｅｓｓｅｎｄｅ  Ｂｒａｕｓｅｗａｓｓｅｒ）は、切り替え弁２４によって選択的に第１環状通路２３０か、第２環状通路２３１へ供給できる。切り替え弁２４は、この場合、圧縮バネ２４０によって付勢されているので、シャワー水の流入（Ｂｒａｕｓｅｗａｓｓｅｒｚｕｆｌｕｓｓ）が遮断された場合、切り替え弁２４の閉鎖部材は、優先位置、すなわち標準シャワー位置へ戻される。閉鎖部材は、この場合、図４に示すように、流入するシャワー水の流水圧によって、ばね力に抗して選択位置を維持するように構成されている。流入するシャワー水は、したがって環状通路２３１に達し、ここから開口１５０をへて水室１５に流入する。水室１５から、シャワー水は、噴出スリット１１をへて幕状噴流として放出される。
シャワーヘッド１は、この場合、平らな端面１３が、接続ハウジング２３の円形接続面２２に密着している。この位置に、シャワーヘッド１は、回転軸線３上に締結されたねじボルト１６によって保持されている。個々の環状通路２３１，２３０は、公知の形式でＯリングにより外部に対してシールされている。シャワーヘッド１は、したがって、環状通路２３１と水室１５との間の接続を中断することなしに、回転軸線３を中心として３６０°回転可能である。
【００１１】
シャワー水の流入が、図示されていないシャワーコックのところで遮断されると、ばね２４０が、切り替え弁２４の閉鎖部材を、図５に明示されているように、優先位置へ押し付ける。次いで、シャワー水流がまた解放されると、今度は、環状通路２３０と開口１４０とをへて水室１４流入する。水室１４は、下流でシャワーヘッド底部１２により公知の形式で閉じられている。シャワーヘッド底部１２内には、多数の噴射水ノズル１２０が設けられ、これらのノズルから、標準シャワー噴流が軸線１０に対しほぼ同軸線的に噴射される。切り替え弁２４のこの位置でも、シャワーヘッドは、図５および図６から分かるように、環状通路２３０から水室１４への水供給を中断することなく、回転軸線３を中心として３６０°回転可能である。
【００１２】
握り２は、接続ハウジング２３を取り囲む複数部分のスリーブまたは複数部分の握り外殻として構成されている。握り２は、この場合、シャワーホース４を通して接続ハウジング２３上にはめこまれ、接続ハウジング２３に設けられた環状フランジ２３２のところに、掛止突起２５を介して、はめ込み位置にロックされる。加えて、握り２には、壁部に切り替え弁２４を操作するタッチ・キーが設けられている。
【００１３】
以上に説明した手持ち式シャワーは、握り２の上流端部に形成された円錐形部分２６を、シャワーホールダ５１に差し込むことができ、したがって、定置の頭部用または横向きのシャワーとして使用できる。図７には、建物壁部５０に取り付けられた壁部バー５が示されている。垂直に取り付けられた壁部バー５には、軸方向に移動可能かつ所望の位置に固定可能なシャワーホールダ５１が備えられ、手持ち式シャワーの円錐形部分２６を差し込むことができる。
壁部バー５の上部に差し込まれている手持ち式シャワーは、幕状噴流シャワーとして使用されたシャワーヘッド１の場合を示している。中間の手持ち式シャワーは、標準位置にあり、頭部用シャワーとして使用される場合を示している。一番下の手持ち式シャワーも、標準位置で使用される場合を示しているが、この場合は、シャワーヘッド１が横向き位置を占めており、言い換えると、壁部バー５に対し直角方向にシャワー噴流が放出されている。
【図面の簡単な説明】
【図１】シャワーヘッドが従来の回転位置にある手持ち式シャワーの側面図。
【図２】シャワーヘッドを１８０°回転させた図１の手持ち式シャワーを示す図。
【図３】２つの別個に構成されたシャワー噴流発生システムを有する手持ち式シャワーの別の実施例を示す図。
【図４】図３に示した手持ち式シャワーの一部の縦断面図。この切り替え弁位置では、幕状噴流発生システムにシャワー水が供給される。
【図５】図３に示した手持ち式シャワーの一部の縦断面図。この切り替え弁位置では、標準シャワー噴流発生システムにシャワー水が供給される。
【図６】図５に示した手持ち式シャワーのシャワーヘッドを１８０°回転させて示す部分縦断面図。
【図７】図３に示した手持ち式シャワーを壁部バーに差し込んで異なる使用位置で示した側面図。
【符号の説明】
１  シャワーヘッド
２  握り
３  回転軸線
４  シャワーホース
５  壁部バー
１０  シャワー噴流発生器の軸線
１１  スリット
１２  シャワーヘッド底部
１４，１５  水室
１６  ねじボルト
２０  握り軸線
２１  中心軸線
２２  接続面
２３  接続ハウジング
２４  切り替え弁
２５  掛止突起
２６  円錐形部分
３０  回転軸線と握り軸線との角度
３１  シャワー噴流発生器軸線と回転軸線との角度
５１  シャワーホールダ
１２０  噴水ノズル
１４０，１５０  開口
２３０，２３１  環状通路
２３２  環状フランジ
２４０  圧縮ばね
【図１】
0004160750.tif 000002
【図２】
0004160750.tif 000003
【図３】
0004160750.tif 000004
【図４】
0004160750.tif 000005
【図５】
0004160750.tif 000006
【図６】
0004160750.tif 000007
【図７】
0004160750.tif 000008